(57)【要約】      （修正有）【課題】強固に組立てられる折畳み容器を提供する。【解決手段】矩形板状の底壁の左辺及び右辺に矩形板状の左右側壁を折曲可能に設けるとともに、底壁の上辺及び下辺に矩形板状の上下側壁を折曲可能に設け、左右側壁の上辺又は下辺と上下側壁の左辺又は右辺との間に矩形板状の折込片を半分の三角形状に折曲可能に設けた折畳み容器において、左右側壁の左辺及び右辺に係止片を形成するとともに、係止片に係止孔を形成し、同係止孔に係入する係入片を各折込片に設け、各係入片は、基端部を各折込片の上下側壁に連設した三角形状部分に接着するとともに、先端部を各折込片の上下側壁に連設した三角形状部分に接着することなく左右側壁に連設した三角形状部分に張出させることにした。【選択図】図３
0003157005.tif 000002
【実用新案登録請求の範囲】
【請求項１】
矩形板状の底壁の左辺及び右辺に矩形板状の左右側壁を折曲可能に設けるとともに、前記底壁の上辺及び下辺に矩形板状の上下側壁を折曲可能に設け、前記左右側壁の上辺又は下辺と前記上下側壁の左辺又は右辺との間に矩形板状の折込片を半分の三角形状に折曲可能に設け、前記底壁から前記左右側壁及び上下側壁を折り起こすとともに各折込片を三角形状に折り曲げることで上部に開口を有する容器を形成する折畳み容器において、
前記左右側壁の左辺及び右辺に係止片を形成するとともに、係止片に係止孔を形成し、同係止孔に係入する係入片を各折込片に設け、各係入片は、基端部を各折込片の上下側壁に連設した三角形状部分に接着するとともに、先端部を各折込片の上下側壁に連設した三角形状部分に接着することなく左右側壁に連設した三角形状部分に張出させ、折り起こした左右側壁の外側で各折込片を三角形状に折り曲げるとともに、係止片の係止孔に係入片の先端部を係入するように構成したことを特徴とする折畳み容器。
【請求項２】
前記係入片の先端部を二股状に形成するとともに、一方の先端部を係止片の係止孔に係入し、両方の先端部で係止片を表裏で挟持するように構成したことを特徴とする請求項１に記載の折畳み容器。
【請求項３】
前記係止片の係止孔を円弧形状としたことを特徴とする請求項１又は請求項２に記載の折畳み容器。
【考案の詳細な説明】
【技術分野】
【０００１】
本考案は、折畳み容器に関するものである。
【背景技術】
【０００２】
従来より、持ち運びを容易なものとした容器として、シート状に広げた状態から各部を折り曲げることで箱状の容器を形成することができるようにした折畳み容器が利用されている（たとえば、特許文献１参照。）。
【０００３】
この折畳み容器としては、矩形板状の底壁の左辺及び右辺に矩形板状の左右側壁を折曲可能に設けるとともに、底壁の上辺及び下辺に矩形板状の上下側壁を折曲可能に設け、左右側壁の上辺又は下辺と上下側壁の左辺又は右辺との間に矩形板状の折込片を半分の三角形状に折曲可能に設けている。
【０００４】
そして、従来の折畳み容器では、底壁から左右側壁及び上下側壁を折り起こすとともに三角形状に折曲した各折込片を内側に折り込むことで上部に開口を有する容器を形成するようにしていた。
【先行技術文献】
【特許文献】
【０００５】
【特許文献１】特開２００４−２６２３１号公報
【考案の概要】
【考案が解決しようとする課題】
【０００６】
ところが、上記従来の折畳み容器にあっては、折畳み容器を組立てた状態で良好に保持することが困難であるとともに、三角形状の折込片が組立てた折畳み容器の内側に位置しており、使い勝手が悪いものであった。
【課題を解決するための手段】
【０００７】
そこで、請求項１に係る本考案では、矩形板状の底壁の左辺及び右辺に矩形板状の左右側壁を折曲可能に設けるとともに、前記底壁の上辺及び下辺に矩形板状の上下側壁を折曲可能に設け、前記左右側壁の上辺又は下辺と前記上下側壁の左辺又は右辺との間に矩形板状の折込片を半分の三角形状に折曲可能に設け、前記底壁から前記左右側壁及び上下側壁を折り起こすとともに各折込片を三角形状に折り曲げることで上部に開口を有する容器を形成する折畳み容器において、前記左右側壁の左辺及び右辺に係止片を形成するとともに、係止片に係止孔を形成し、同係止孔に係入する係入片を各折込片に設け、各係入片は、基端部を各折込片の上下側壁に連設した三角形状部分に接着するとともに、先端部を各折込片の上下側壁に連設した三角形状部分に接着することなく左右側壁に連設した三角形状部分に張出させ、折り起こした左右側壁の外側で各折込片を三角形状に折り曲げるとともに、係止片の係止孔に係入片の先端部を係入するように構成することにした。
【０００８】
また、請求項２に係る本考案では、前記請求項１に係る本考案において、前記係入片の先端部を二股状に形成するとともに、一方の先端部を係止片の係止孔に係入し、両方の先端部で係止片を表裏で挟持するように構成することにした。
【０００９】
また、請求項３に係る本考案では、前記請求項１又は請求項２に係る本考案において、前記係止片の係止孔を円弧形状とすることにした。
【考案の効果】
【００１０】
そして、本考案では、以下に記載する効果を奏する。
【００１１】
すなわち、本考案では、折畳み容器において、折り起こした左右側壁の外側で各折込片を三角形状に折り曲げるとともに、係止片の係止孔に係入片の先端部を係入するように構成しているために、折畳み容器の組立てを容易なものとすることができるとともに、組立てた状態を強固に保持することができ、しかも、組立てた状態で折込片が折畳み容器の外側に位置するので、折畳み容器の内側を広く利用することができる。
【００１２】
特に、係入片の先端部を二股状に形成するとともに、一方の先端部を係止片の係止孔に係入し、両方の先端部で係止片を表裏で挟持するように構成した場合には、より一層折畳み容器を組立てた状態で強固に保持することができる。
【００１３】
また、係止片の係止孔を円弧形状とした場合には、係止孔に係入片を容易に係入することができるようになり、より一層折畳み容器の組立てを容易なものとすることができる。
【図面の簡単な説明】
【００１４】
【図１】折畳み容器の組立後の状態を示す斜視図。
【図２】折畳み容器を展開した状態を示す斜視図（（ａ）表側（内側）、（ｂ）裏側（外側））。
【図３】折畳み容器の組立方法を示す説明図。
【考案を実施するための形態】
【００１５】
以下に、本考案に係る折畳み容器の具体的な構成について図面を参照しながら説明する。
【００１６】
図１に示すように、折畳み容器１は、組立てることによって上部に開口を有する容器を形成することができ、単独で使用することもでき、また、一回り大きなサイズの折畳み容器1'を上下反転させて被せることで箱として使用することもできる。
【００１７】
この折畳み容器１は、図２に示すように、横長矩形板状の底壁２の左辺及び右辺に縦長矩形板状の左右側壁3,4を上下に伸延する直線状の折曲部5,6を介して折曲可能に設けている。
【００１８】
また、折畳み容器１は、底壁２の上辺及び下辺に横長矩形板状の上下側壁7,8を左右に伸延する直線状の折曲部9,10を介して折曲可能に設けている。
【００１９】
また、折畳み容器１は、左側壁３の上辺と上側壁７の左辺との間、左側壁３の下辺と下側壁８の左辺との間、右側壁４の上辺と上側壁７の右辺との間、右側壁４の下辺と下側壁８の右辺との間、それぞれに矩形板状（正方形状）の折込片11〜14を上下又は左右に伸延する直線状の折曲部15〜22を介して折曲可能に設け、各折込片11〜14の中央に対角線状の折曲部23〜26を形成して、各折込片11〜14を半分の三角形状に折曲可能に形成している。
【００２０】
また、折畳み容器１は、左側壁３の左辺及び右側壁４の右辺に縦長矩形板状の折曲片27,28を上下に平行に伸延する折曲部29〜32を介して折曲可能に設けるとともに、左側壁３の左辺及び右側壁４の右辺に折曲片27,28を介して縦長矩形板状の係止片33,34の端縁部を接着している。
【００２１】
各係止片33,34には、左右側壁3,4（底壁２）に向けて凸状の円弧形状の係止孔35,36を形成している。
【００２２】
また、折畳み容器１は、各係止片33,34の係止孔35,36に係入させるための係入片37〜40を各折込片11〜14に取付けている。
【００２３】
各係入片37〜40は、基端部を各折込片11〜14の上下側壁7,8に連設した三角形状部分に接着するとともに、先端部を各折込片11〜14の上下側壁7,8に連設した三角形状部分に接着することなく左右側壁3,4に連設した三角形状部分に張出させるとともに、先端部を二股状に形成している。
【００２４】
また、折畳み容器１は、底壁２と上下側壁7,8に上下に伸延する直線状の折曲部41,42を形成するとともに、底壁２と上下側壁7,8の折曲部41,42で区画された各領域に補強板43〜51を貼着している。
【００２５】
この折畳み容器１は、底壁２と上下側壁7,8との間に左右に伸延する折曲部9,10を有するとともに、左右側壁3,4と折込片11〜14との間に左右に伸延する折曲部15,17,19,21を有するために、図２に示す横長矩形板状の状態から上下側壁7,8及び折込片11〜14を底壁側に180度折り曲げることができ、さらに、上下に伸延する折曲部5,6,16,18,20,22,29,30,31,32,41,42で180度折り曲げることで、図３(a)にに示すように、持ち運び便利な小型なものとすることができる。
【００２６】
そして、使用時には、図３(b)に示すように、各折曲部5,6,16,18,20,22,29,30,31,32,41,42を逆向きに180度折り起こして横長矩形板状に延ばし、その後、図３(c)に示すように、上下側壁7,8及び折込片11〜14を左右に伸延する折曲部9,10,15,17,19,21で90度折り起こし、その後、図３(d)に示すように、左右側壁3,4を上下に伸延する折曲部5,6で90度折り起こすとともに、折り起こした左右側壁3,4の外側で各折込片11〜14を対角線状の折曲部23〜26で三角形状に折り曲げ、その後、図３(e)に示すように、三角形状の各折込片11〜14を各係入片37〜40とともに内側に向けて90度折り曲げ、その後、図３(f)に示すように、左右の係止片33,34を上下に伸延する折曲部29〜32で外側に向けて90度づつ計180度折り曲げ、係止片33,34の係止孔35,36に係入片37〜40の二股状の先端部の一方のみを係入し、両方の先端部で係止片33,34を表裏で挟持するようにして、上部に開口を有する箱型状の容器を形成することができる。
【００２７】
以上に説明したように、上記折畳み容器１は、矩形板状の底壁２の左辺及び右辺に矩形板状の左右側壁3,4を折曲可能に設けるとともに、底壁２の上辺及び下辺に矩形板状の上下側壁7,8を折曲可能に設け、左右側壁3,4の上辺又は下辺と上下側壁7,8の左辺又は右辺との間に矩形板状の折込片11〜14を半分の三角形状に折曲可能に設け、底壁２から左右側壁3,4及び上下側壁7,8を折り起こすとともに各折込片11〜14を内側に折り込むことで上部に開口を有する容器を形成することができるようになっている。
【００２８】
また、上記折畳み容器１は、左右側壁3,4の左辺及び右辺に係止片33,34を形成するとともに、係止片33,34に係止孔35,36を形成し、同係止孔35,36に係入する係入片37〜40を各折込片11〜14に設け、各係入片37〜40の基端部を各折込片11〜14の上下側壁7,8に連設した三角形状部分に接着するとともに、各係入片37〜40の先端部を各折込片11〜14の上下側壁7,8に連設した三角形状部分に接着することなく左右側壁3,4に連設した三角形状部分に張出させている。
【００２９】
これにより、上記折畳み容器１は、折り起こした左右側壁3,4の外側で各折込片11〜14を三角形状に折り曲げるとともに、係止片33,34の係止孔35,36に係入片37〜40の先端部を係入することで組立て可能に構成している。
【００３０】
そのため、上記折畳み容器１では、折畳み容器１を容易に組立てることができるとともに、組立てた状態を強固に保持することができ、しかも、組立てた状態で折込片11〜14が折畳み容器１の外側に位置するので、折畳み容器１の内側を広く利用することができる。
【００３１】
また、上記折畳み容器１では、係入片37〜40の先端部を二股状に形成するとともに、一方の先端部を係止片33,34の係止孔35,36に係入し、両方の先端部で係止片33,34を表裏で挟持するように構成しているために、より一層折畳み容器１を組立てた状態で強固に保持することができる。
【００３２】
また、上記折畳み容器１では、係止片33,34の係止孔35,36を円弧形状としているために、係止孔35,36に係入片37〜40を容易に係入することができるようになり、より一層折畳み容器１の組立てを容易なものとすることができる。
【００３３】
しかも、上記折畳み容器１では、底壁２と上下側壁7,8に上下に伸延する直線状の折曲部41,42を形成して、底壁２と上下側壁7,8とを重ねた状態で折曲可能に形成しているために、底壁２と上下側壁7,8とを重ねた状態で折り曲げることで、従来よりも小さく折畳むことができるので、ハンドバックやセカンドバックなどに入れて持ち運ぶことができる。
【００３４】
また、上記折畳み容器１では、底壁２及び上下側壁7,8の折曲部41,42で区画された各領域に補強板43〜51を貼着しているために、折畳み容器１を組立てたときの補強となるとともに、折曲部41,42と異なる部位で誤って折り曲げられてしまうのを防止することができる。
【符号の説明】
【００３５】
1,1'  折畳み容器                          ２  底壁
３  左側壁                                ４  右側壁
5,6  折曲部                               ７  上側壁
８  下側壁                                9,10  折曲部
11〜14  折込片                            15〜26  折曲部
27,28  折曲片                             29〜32  折曲部
33,34  係止片                              35,36  係止孔
37〜40  係入片                             41,42  折曲部
43〜51  補強板
【図１】
0003157005.tif 000003
【図２】
0003157005.tif 000004
【図３】
0003157005.tif 000005